(57)【要約】【課題】医用画像データをサーバーに保存する際、記憶媒体の有効活用を図り、不所望にデータが削除されることを防止する。【解決手段】被検体を撮影して取得した医用画像データに対してデータ種別毎に保存期間を設定し、削除要求がない限り永年的に保存する第１の期間と、比較的短期の第２の期間のいずれかに設定する設定手段と、記憶媒体に保存された医用画像データを用いて読影、診断等の処理が実行されたとき、情報管理装置からイベント通知情報を受信し、先に設定された保存期間のデータとイベント通知情報に基いて、保存期間が第２の期間に設定された画像データについては所定の処理が完了した時点で記憶媒体から削除するデータ削除手段を具備する。【選択図】    図１
2007181482.tif 000002
【特許請求の範囲】
【請求項１】
医用画像データを記憶媒体に保存し、その保存期間を管理するための医用画像データ保管装置であって、
被検体を撮影して医用画像データを生成する医用画像診断装置と、
前記医用画像データに対してデータ種別毎に保存期間を設定し、削除要求がない限り永年的に保存する第１の期間と、前記第１の期間よりも短い第２の期間のいずれかの保存期間を設定する設定手段と、
ユーザによって前記記憶媒体に保存された医用画像データを用いて所定の処理が実行されたとき、イベント通知情報を生成する情報管理装置と、
前記設定された保存期間のデータと前記イベント通知情報に基いて、前記保存期間が第２の期間に設定された画像データについては前記所定の処理が完了した時点で前記記憶媒体から削除するデータ削除手段と、
を具備したことを特徴とする医用画像データ保管装置。
【請求項２】
前記情報管理装置は、前記記憶媒体に保存された医用画像データを使用して読影処理又は診断処理が完了したときに前記イベント通知情報を出力することを特徴とする請求項１記載の医用画像データ保管装置。
【請求項３】
前記設定手段による前記第２の期間の設定は、前記読影処理又は診断処理の完了時までのいずれかを選択して保存期間を設定可能にしたことを特徴とする請求項２記載の医用画像データ保管装置。
【請求項４】
前記設定手段は、前記医用画像データの種別毎に保存期間を設定する際、被検体の撮影部位又は症例別に保存期間を設定可能にしたことを特徴とする請求項１記載の医用画像データ保管装置。
【請求項５】
前記設定手段は、前記医用画像データの種別毎に保存期間を設定する際、被検体の撮影計画に応じて保存期間の設定を変更可能にしたことを特徴とする請求項１記載の医用画像データ保管装置。
【請求項６】
前記医用画像診断装置は、所定間隔でヘリカルスキャンを行って被検体の撮影を行い、さらに前記記憶媒体に前記医用画像データを保存する際に、前記所定間隔よりも広い間隔毎のデータを保存するスタック処理部を有し、前記設定手段は、スタック処理の種別毎に前記保存期間を設定可能にしたことを特徴とする請求項１記載の医用画像データ保管装置。
【請求項７】
前記設定手段は、さらに所定の医用画像データに対してプロテクト設定が可能であって、プロテクト設定された医用画像データの削除を禁止するようにしたことを特徴とする請求項１記載の医用画像データ保管装置。
【請求項８】
前記設定手段は、前記プロテクト設定がなされた場合に、プロテクト設定を行ったユーザを記録する手段を備えたことを特徴とする請求項７記載の医用画像データ保管装置。
【請求項９】
前記医用画像データに対してデータ種別毎に保存期間を設定する際、前記医用画像データにキー画像を付加し、キー画像が付された画像データを前記データ種別の１つとして識別することを特徴とする請求項１記載の医用画像データ保管装置。
【請求項１０】
前記医用画像データに対してデータ種別毎に保存期間を設定する際、前記医用画像データに対してフィルミング処理を行った場合は、フィルミングした医用画像データを前記データ種別の１つとして識別することを特徴とする請求項１記載の医用画像データ保管装置。
【請求項１１】
医用画像データを記憶媒体に保存し、その保存期間を管理するための医用画像データ保管装置であって、
被検体を撮影して医用画像データを生成するとともに、前記医用画像データに対してデータ種別毎に保存期間を設定し、削除要求がない限り永年的に保存する第１の期間と、前記第１の期間よりも短い第２の期間のいずれかの保存期間が設定された医用画像データを出力する医用画像診断装置と、
前記医用画像診断装置に対してネットワークで接続され、前記医用画像データを保存するための記憶媒体を含むサーバーと、
前記ネットワークに接続され、ユーザによって前記サーバーの記憶媒体に保存された医用画像データを用いて所定の処理が実行されたとき、イベント通知情報を生成する情報管理装置と、
前記記憶媒体に保存され前記保存期間が前記第２の期間に設定された医用画像データを、前記イベント通知情報に基いて前記所定の処理が完了した時点で前記記憶媒体から削除するデータ削除手段と、
を具備したことを特徴とする医用画像データ保管装置。
【請求項１２】
前記情報管理装置は、ＨＩＳ（Hospital Information System）又はＲＩＳ（Radiology Information System）で構成されたことを特徴とする請求項７記載の医用画像データ保管装置。
【請求項１３】
医用画像データを記憶媒体に保存し、その保存期間を管理するための医用画像データ保管方法であって、
被検体を撮影して医用画像データを生成し、
前記生成された医用画像データに対してデータ種別毎に保存期間を設定し、削除要求がない限り永年的に保存する第１の期間と、前記第１の期間よりも短い第２の期間のいずれかの保存期間を設定し、
ユーザによって前記記憶媒体に保存された医用画像データを用いて所定の処理が実行されたときに、情報管理装置からイベント通知情報を受信し、
前記設定された保存期間のデータと前記イベント通知情報に基いて、前記保存期間が第２の期間に設定された画像データについては前記所定の処理が完了した時点で前記記憶媒体から削除することを特徴とする医用画像データ保管方法。
【発明の詳細な説明】
【技術分野】
【０００１】
本発明は、医用画像診断装置で生成された医用画像データの保管装置及び保管方法に関するものである。
【背景技術】
【０００２】
従来、医用分野においては医用画像診断装置(モダリティ)を用いて被検体の断層画像を撮影し、画像処理することで三次元画像等を取得し、医用診断を行うようにしている。医用画像診断装置としては、例えばＸ線ＣＴ装置（Ｘ線コンピュータトモグラフィ装置）、ＭＲＩ装置（磁気共鳴イメージング装置）、Ｘ線撮影装置等が一般的に知られている。
【０００３】
これら医用画像診断装置では、被検体を撮影して断層画像データの収集を行い、加工処理を行って表示装置に表示し診断を行うようにしている。また各種の医用画像データは、保存手段（以下、サーバーと称す）に保管するようにしており、例えばマルチスライスＣＴ装置（以下、ＭＳＣＴと略す）で発生した画像をサーバーに保存している。サーバーでは、医用画像データを内部の記憶媒体（例えばＨＤＤ）に保存するとともに、ＤＶＤや録画用テープなどの外部メディアへ画像データを保存する。
【０００４】
ところで、ＭＳＣＴを多列化し、複数のＣＴ装置をサーバーに接続した場合には、大量に発生した画像が全てサーバーへ転送され、保存するデータ量が多くなるため、保存領域を増やす必要がある。このため、記憶媒体の容量不足に対処するには経済的な面、及び記憶媒体の空間的余裕の面で問題がある。
【０００５】
特許文献１には、医用データの保存装置について記載されており、記憶装置を有効活用するため、関連したデータの集合をデータグループとし、データグループ内で一括して削除すべきデータの集合を削除データグループとして記憶手段に保存し、データグループ内の所定のデータにデータの新旧を示すデータ日時を付し、データ日時が所定日よりも新しいときは削除データグループの削除を禁止し、削除禁止ではない削除データグループを記憶手段から削除する例が記載されている。
【０００６】
しかしながら、特許文献１に記載の例では、データの削除を日時によって管理するため、診断が完了していなくても所定の日時が経過した後は一括してデータが削除されてしまうという欠点があった。
【特許文献１】特開２００４−１６４３２０号公報
【発明の開示】
【発明が解決しようとする課題】
【０００７】
複数の医用画像診断装置をサーバーに接続した場合、大量に発生した画像データを全て記憶するにはデータ量が多すぎるため、記憶媒体の保存領域を増やす必要があり、経済的、空間的な面で問題がある。また、特許文献１のように削除データグループを日時で管理する場合は、診断が完了していなくても所定の日時が経過した後は一括してデータが削除されてしまうという欠点があった。
【０００８】
本発明は、医用画像診断装置で生成した画像をサーバーに保存する際、記憶媒体の有効活用を図り、不所望にデータが削除されることを防止した医用画像データ保管装置及び保管方法を提供することを目的とする。
【課題を解決するための手段】
【０００９】
請求項１記載の本発明の医用画像データ保管装置は、医用画像データを記憶媒体に保存し、その保存期間を管理するための医用画像データ保管装置であって、被検体を撮影して医用画像データを生成する医用画像診断装置と；前記医用画像データに対してデータ種別毎に保存期間を設定し、削除要求がない限り永年的に保存する第１の期間と、前記第１の期間よりも短い第２の期間のいずれかの保存期間を設定する設定手段と；ユーザによって前記記憶媒体に保存された医用画像データを用いて所定の処理が実行されたとき、イベント通知情報を生成する情報管理装置と；前記設定された保存期間のデータと前記イベント通知情報に基いて、前記保存期間が第２の期間に設定された画像データについては前記所定の処理が完了した時点で前記記憶媒体から削除するデータ削除手段とを具備したことを特徴とする。
【００１０】
また、請求項１１記載の本発明の医用画像データ保管装置は、医用画像データを記憶媒体に保存し、その保存期間を管理するための医用画像データ保管装置であって、被検体を撮影して医用画像データを生成するとともに、前記医用画像データに対してデータ種別毎に保存期間を設定し、削除要求がない限り永年的に保存する第１の期間と、前記第１の期間よりも短い第２の期間のいずれかの保存期間が設定された医用画像データを出力する医用画像診断装置と；前記医用画像診断装置に対してネットワークで接続され、前記医用画像データを保存するための記憶媒体を含むサーバーと；前記ネットワークに接続され、ユーザによって前記サーバーの記憶媒体に保存された医用画像データを用いて所定の処理が実行されたとき、イベント通知情報を生成する情報管理装置と；前記記憶媒体に保存され前記保存期間が前記第２の期間に設定された医用画像データを、前記イベント通知情報に基いて前記所定の処理が完了した時点で前記記憶媒体から削除するデータ削除手段とを具備したことを特徴とする。
【００１１】
さらに請求項１３記載の本発明の医用画像データ保管方法は、医用画像データを記憶媒体に保存し、その保存期間を管理するための医用画像データ保管方法であって、被検体を撮影して医用画像データを生成し；前記生成された医用画像データに対してデータ種別毎に保存期間を設定し、削除要求がない限り永年的に保存する第１の期間と、前記第１の期間よりも短い第２の期間のいずれかの保存期間を設定し；ユーザによって前記記憶媒体に保存された医用画像データを用いて所定の処理が実行されたときに、情報管理装置からイベント通知情報を受信し；
前記設定された保存期間のデータと前記イベント通知情報に基いて、前記保存期間が第２の期間に設定された画像データについては前記所定の処理が完了した時点で前記記憶媒体から削除することを特徴とする。
【発明の効果】
【００１２】
本発明によれば、重要なデータのみが長期保存されるため、記憶媒体の保存領域の空間的余裕を確保し、経済的な負担増を抑えことができる。また医用画像データを削除する場合も、読影や診断の完了を確認した上で削除するため、不所望にデータが削除されることを防止することができる。
【発明を実施するための最良の形態】
【００１３】
以下、この発明の一実施の形態について図面を参照して詳細に説明する。
【実施例１】
【００１４】
図１は本発明の医用画像データ保管装置の一実施形態を示す構成図である。
【００１５】
図１において、１０は医用画像診断装置であり、Ｘ線ＣＴ装置（Ｘ線コンピュータトモグラフィ装置）、ＭＲＩ装置（磁気共鳴イメージング装置）、Ｘ線撮影装置等で構成されている。この医用画像診断装置１０はＬＡＮ等のネットワーク１００に接続されている。このネットワーク１００には、サーバー２０のほかに、ユーザ（医師等）が使用する複数の情報端末装置４１，４２、及び読影装置４３等が接続され、これらはネットワーク１００を介して通信可能になっている。情報端末装置４１，４２は、表示部と、キーボード／マウス等の入力部を有し、ユーザによって操作可能である。
【００１６】
またネットワーク１００には、情報管理装置３０が接続されている。情報管理装置３０は、病院内の情報を管理するＨＩＳ（Hospital Information System）や放射線科内の情報を管理するＲＩＳ（Radiology Information System）で構成され、医用画像の撮影オーダーの予約受付けや医用画像の利用状況等を管理し、医師による読影完了や、診断完了の情報等を生成する。
【００１７】
医用画像診断装置１０として、マルチスライスＣＴ装置（ＭＳＣＴ）を例に説明すると、ＣＴ装置１１のほかに、入力部１２を有し、入力部１２では医用画像データの保管条件を画面を観ながら設定可能になっている。また、入力部１２で設定された保管条件は保管部１３で保管される。さらにＣＴ装置１１及び保管部１３は比較設定部１４に接続され、比較設定部１４では、ＣＴ装置１１で生成されたデータに対してデータ種に応じて保存期間を設定し、サーバー２０へ送信するようにしている。また、ＣＴ装置１１にはイメージャ１５が接続され、画像データをフィルム等の記録媒体に可視画像として出力可能にしている。
【００１８】
一方、サーバー２０は、医用画像データを保存するデータベース（記憶媒体）２１を有するとともに、情報格納部２２、比較部２３、データ削除部２４を有している。
【００１９】
情報格納部２２は、比較設定部１４において画像データの種別毎に設定された保存期間の情報を格納する。比較部２３は、情報格納部２２からの保存期間の情報と、情報管理装置３０から出力されるイベント通知（後述）とを比較し、その比較結果に応答してデータ削除部２４を制御し、データ削除部２４はデータベース２１に保存されている所定の画像データを削除するものである。
【００２０】
次にこのような医用画像データ保管装置の動作を説明する。図２は、図１の医用画像データ保管装置の動作を説明するフローチャートであり、図３は、入力部１２における画像種毎の保存期間の設定画面の例を示す。
【００２１】
図２のステップＳ１からＳ４は、医用画像診断装置１０の処理ステップを示し、ステップＳ５，Ｓ６はサーバー２０での処理ステップを示している。
【００２２】
ステップＳ１では、医用画像データのデータ種と保存期間の設定を行うためのプリセット画面を生成し、ステップＳ２ではＣＴ装置１１により被検体の撮影を行い画像データを生成する。ステップＳ３では、生成した画像データに対してデータ種に応じて保存期間を設定し、ステップＳ４ではサーバー２０へ医用画像データを転送する。
【００２３】
ステップＳ１のプリセット画面は、図３に示す形態を呈し、これが入力部１２の表示画面に表示される。プリセット画面は、大別すると画像種と保存期間に区分される。画像種は、例えば「スキャノ」、「薄いヘリカル」、「厚いヘリカル」、「コンベンショナルスキャン」、「ＭＰＲ」、「スクリーンキャプチャ」といった画像データ種を表し、保存期間としては、「読影完了」、「診断完了」、「永年」といった保存期間を表し、それらをマトリクスで表示するようにしている。
【００２４】
「スキャノ」は、Ｘ線管を所定の回転角度に固定して寝台を移動させながら広範囲をスキャンして得た画像種を表し、「薄いヘリカル」、「厚いヘリカル」は、ヘリカルスキャンによって撮影した画像種を表し、「コンベンショナルスキャン」は、寝台固定で１回転のスキャンで撮影した画像を表し、「ＭＰＲ」は、任意多断面再構成画像（Multi Planer Reconstruction）を表し、「スクリーンキャプチャ」は、ボリュームデータを加工して表示した画像の一部又は全部を取り込んでイメージデータ(ＲＧＢデータ)として保存した画像、或いはモニターに表示されているものをイメージとして保存したものを表す。
【００２５】
保存期間のうち、「読影完了」、「診断完了」は、それぞれ読影、診断が終了した時点で削除可能な比較的短期の保存期間を意味し、「永年は」は長期の保存期間を意味している。図３では、「厚いヘリカル」の画像が永年保存であることを示し、それ以外が診断完了時までの保存期間であることを例示している。ユーザは、図３の設定画面を観ながらカーソル又はマウスを利用して医用画像の種別毎に保存期間を選択することができ、選択・設定した期間を黒いマークで示している。
【００２６】
一方、サーバー２０では、ステップＳ５において、ＨＩＳ／ＲＩＳ等の情報管理装置３０からの情報をもとに、医師により医用画像データを利用した読影、あるいは診断が完了したことを示すイベント通知を受けると、比較部２３は情報格納部２２に格納されている保存期間の情報と、読影完了、又は診断完了のイベント通知情報とを比較し、ステップＳ６において、データ削除部２４を介してデータベース２１の中から、保存期間を過ぎた医用画像データを削除する。
【００２７】
例えば、「薄いヘリカル」種の画像データであれば、保存期間は診断完了時となっているため、「薄いヘリカル」の画像を利用して診断が行われ、その診断が完了すると情報管理装置３０からイベント通知情報がサーバー２０に送られ、その診断が完了した後はデータ削除部２４によってデータベース２１から削除される。
【００２８】
また、「厚いヘリカル」種であれば、保存期間は永年となっているため、「厚いヘリカル」の画像を利用して診断が行われ、その診断が完了してもその医用画像データはデータベース２１から削除されることはない。
【００２９】
こうして、生成された医用画像データに対して保存期間を設定し、短期の保存であれば所定の処理（読影や診断）が終了するまではデータが削除されることはない。また、永年保存であれば、別途削除の要求がない限りはデータベース２１に保存される。
【００３０】
図４は本発明の第１の実施形態の応用例を説明するもので、先に説明した医用画像データ種毎に保存期間を設定する場合に、さらに診断部位や症例に応じて設定を行う例を示したものである。
【００３１】
即ち、図３の設定画面を表示する前に、図４の画面を表示し、診断部位・症例を表示し、いずれかの部位・症例を選択し、そのあとで図３の画面を表示するものである。これにより、選択した部位・症例に対応するデータ種毎に保存期間を設定することができる。図４では部位として「頭部」を選択した例を図示している。
【００３２】
図５は、本発明の第１の実施形態のさらなる応用例を説明するもので、画像データの種別として「キー画像」、「フィルミングデータ」が追加された例を示している。「キー画像」は、画像作成時、又は読影時に診断上重要な画像であると設定された画像であり、キー画像としてマーキング処理を付加して、他の画像と識別可能にした画像である。図５では、「キー画像」の保存期間が「永年」に設定された例を示している。
【００３３】
また、「フィルミングデータ」は、イメージャ１５によってフィルミング処理された画像データであり、フィルミングした際に自動的に画像データにマークを付け、そのマークに応じて、保存期間が設定されるものである。図５では、「フィルミングデータ」の保存期間も「永年」に設定された例を示している。
【実施例２】
【００３４】
次に本発明の医用画像データ管理装置の第２の実施形態について、図６、図７を参照して説明する。図６において、図１と同一部分については同一符号を付して詳細な説明は省略する。
【００３５】
図６の構成では、医用画像診断装置１０に条件設定変更部１６を追加したものであり、入力部１２で設定された保管条件が保管部１３に保管されるとともに、条件設定変更部１６で保管条件を変更可能にしたものである。尚、サーバー２０の構成は図１と同一である。
【００３６】
図６の実施形態では、スキャンプランの設定時に、その検査に応じてスキャンプラン計画画面を表示し、保存期間を変更可能にしたものである。図７は、スキャンプラン計画画面の表示例を示し、例えばスキャンを行う際の条件として、「スキャノの条件」、「薄いヘリカルの条件」、「厚いヘリカルの条件」が表示されており、保存条件を選択するためにプルダウン画面Ｐが表示され、プルダウン画面Ｐが「読影完了」、「診断完了」、「永年」の選択項目で構成されている。
【００３７】
例えば「薄いヘリカルの条件」を選択し、保存期間として、「読影完了」をチェックすると、保存期間の欄は「診断完了」がマーキングされ、薄いヘリカルの画像データ種の場合は、保存期間が診断完了時までと設定することができる。
【００３８】
こうして、図６の実施形態では、スキャンプランの設定時にスキャン条件に応じて保存期間の変更が可能となる。
【実施例３】
【００３９】
次に本発明の医用画像データ管理装置の第３実施形態について、図８、図９を参照して説明する。図８において、図１と同一部分については同一符号を付して詳細な説明は省略する。
【００４０】
図８の構成において、医用画像診断装置１０は図１と同一の構成であるが、サーバー２０にデータスタック部２５を追加した点が相違する。
【００４１】
即ち、薄いヘリカルのデータの場合、隣接する画像同士を束ねるスタック処理を行うことにより画像数を減らすことができる。薄いヘリカル画像では、スキャンの間隔が例えば１ｍｍでは、全ての画像を保存するには容量が増加してしまう。これに対してスキャンの間隔が５ｍｍ、１０ｍｍにように増加すると、保存のための容量は少なくて済む。したがって、１ｍｍ間隔で撮影した画像を５ｍｍ置き、又は１０ｍｍ置きに１つのデータとして束ねる（スタック処理する）ことによって、保存のための容量を少なくすることができる。データスタック部２５はスタック処理を行ってデータベース２１に保存するものである。尚、スタック処理の間隔（スタック厚）は、５ｍｍ、１０ｍｍに限定されるものではない。
【００４２】
図８ではこのようにスタック処理してデータベース２１に保存するとともに、スタック厚ごとに保存期間を設定可能にしたものである。図９はスタック設定を含む保存期間の設定画面を示すものである。図３の画面と異なる点は、画像種の内、「薄いヘリカル」については、スタック厚毎に保存期間の設定が可能となっている。例えばスタック厚が５ｍｍの画像データ種は保存期間を「診断完了」に設定し、スタック厚が１０ｍｍの画像種は保存期間を「永年」に設定している。永年に設定しても保存容量が削減されるためデータベース２１を有効に利用することができる。
【００４３】
この実施形態であっても、データベース２１に保存した画像データは、保存期間及びイベント通知情報に基いてデータ削除部２４によって削除される。
【実施例４】
【００４４】
次に本発明の医用画像データ管理装置の第４の実施形態について、図１０を参照して説明する。図１０において、図１と同一部分については同一符号を付して詳細な説明は省略する。
【００４５】
図１０の構成では、医用画像診断装置１０にプロテクト設定部１７を追加し、画像データの保護を行うようにしたものである。プロテクト設定部１７は、特定の作業者がプロテクト設定（例えば削除不可の設定）を行った場合に、その設定を行った作業者情報（デフォルトはその時のユーザー名）を保存する。
【００４６】
一方、サーバー２０の情報格納部２２には、上記プロテクトの設定状態と設定作業者の名前を格納する。これにより、プロテクト設定がされたデータに対しては、保存期間を過ぎても削除を行わないようにすることができる。また、情報格納部２２に格納された情報に基いて、サーバー２０に保存されているデータのリストを表示できるようにし、その際の表示機能の一つとして、上記プロテクトの設定状態と設定作業者の名前を表示するようにしても良い。
【００４７】
このように本発明では、医用画像データの種別毎に保存期間を設定することができ、重要なデータのみが長期保存されるため、記憶媒体の保存領域の空間的余裕を確保し、経済的な負担増を抑えことができる。また医用画像データを削除する場合も、読影や診断の完了を確認した上で削除するため、不所望にデータが削除されることを防止することができる。
【００４８】
尚、以上の説明では、医用画像診断装置としてマルチスライスＣＴ装置を例に説明したが、ＭＲＩ装置、Ｘ線撮影装置等の医用画像診断装置を用いてもよく、特許請求の範囲を逸脱しない範囲内で種々の変形が可能である。
【図面の簡単な説明】
【００４９】
【図１】本発明の医用画像データ保管装置の一実施形態を示す構成図。
【図２】同実施形態の動作を説明するためのフローチャート。
【図３】同実施形態における画像データ種毎の保存期間を設定する際に使用するプリセット画面の一例を説明する説明図。
【図４】同実施形態の応用例を示すもので、部位、症例に応じて画像データの保存期間を設定する際の画面の一例を説明する説明図。
【図５】同実施形態の応用例を示すもので、他の画像データ種を含むプリセット画面の一例を説明する説明図。
【図６】本発明の医用画像データ保管装置の第２の実施形態を示す構成図。
【図７】第２の実施形態におけるスキャンプラン設定画面を使用した保存期間設定の一例を示す説明図。
【図８】本発明の医用画像データ保管装置の第３の実施形態を示す構成図。
【図９】第３の実施形態におけるスタック設定を含む保存期間設定画面の一例を示す説明図。
【図１０】本発明の医用画像データ保管装置の第４の実施形態を示す構成図。
【符号の説明】
【００５０】
１０…医用画像診断装置
１１…ＣＴ装置
１２…入力部
１３…保管部
１４…比較設定部
１５…イメージャ
１６…設定条件変更部
１７…プロテクト設定部
２０…サーバー
２１…データベース（記憶媒体）
２２…情報格納部
２３…比較部
２４…データ削除部
２５…データスタック部
３０…情報管理装置（ＨＩＳ／ＲＩＳ）
４１，４２…端末装置
４３…読影装置
１００…ネットワーク
【図１】
2007181482.tif 000003
【図２】
2007181482.tif 000004
【図３】
2007181482.tif 000005
【図４】
2007181482.tif 000006
【図５】
2007181482.tif 000007
【図６】
2007181482.tif 000008
【図７】
2007181482.tif 000009
【図８】
2007181482.tif 000010
【図９】
2007181482.tif 000011
【図１０】
2007181482.tif 000012